(57)【要約】      （修正有）【課題】風呂の湯等を攪拌すると同時に、ゴミ取りが可能な濾過式攪拌器を提供する。【解決手段】攪拌棒やゴミ取りネットを操作する手段として、あらゆる方向に動作させても有効な事が必要で、上下や進行方向に開口部を有する攪拌器内部に整流板や弁を配設して、水流の出口側にゴミ取りフィルターを配設する。第１の発明では、上下や進行方向に開口部を有する筒状の攪拌器本体２の上部に操作棒１を設け、攪拌器本体内部に整流板１０を配するための支点３を設け、整流板が揺動自在に軸支され、水圧に拠る整流板の傾きに拠って整流された水流の出口側部に逆流防止弁４を設け、着脱自在のフィルター５を配して成る。また、第２の発明では、平面視二股状にした操作棒１の先端に、筒及び箱状等の任意形状をした攪拌器本体１２及び湯桶等を揺動自在に軸支される支点３を設け、攪拌器本体にゴミ逆流防止弁４及び係着部７を設けて、フィルター５及び湯桶等を配して成る。  【選択図】図１
2005118514.tif 000002
【特許請求の範囲】
【請求項１】
上下及び側面に開口部を有する、筒状等の任意形状をした攪拌器本体の上部に操作棒を設け、攪拌器本体内部に整流板を配する為の支点を設け、該整流板が揺動自在に軸支され、上下動等の作動時に水圧に拠り起因する整流板の傾きに拠って、整流された水等の出口側部に逆流防止弁及び係着部を設け、該係着部にフィルターを配して成る事を特徴とする、濾過式攪拌器。
【請求項２】
平面視二股状にした操作棒の先端に、筒及び箱状等の任意形状をした攪拌器本体及び湯桶等を揺動自在に軸支される支点を設け、攪拌器本体にゴミ逆流防止弁及び係着部を設けて、フィルター及び湯桶等を配する事を特徴とする、濾過式攪拌器。
【発明の詳細な説明】
【技術分野】
【０００１】  本発明は、水を攪拌操作する事に拠り、攪拌と同時にゴミ取りをする、濾過式攪拌器に関する物である。
【背景技術】
【０００２】  従来、風呂の湯等を攪拌する場合には湯桶や専用の湯掻き棒を使用しているもので又、風呂の湯等のゴミを除去する場合は、別に用意したゴミ取りネットを使用している。
更に、風呂の湯桶等は本体と取っ手が一体式の固定されたものがある。
【特許文献１】  実用新案公開平６−６２８９１    ゴミ取り網付き湯かき棒
【特許文献２】  特許公開平８−２６６４３１      垢取り具
【特許文献３】  特許公開２０００−３５０５４１  水汲みバケツ
【発明の開示】
【発明が解決しようとする課題】
【０００３】  解決しようとする問題点は、風呂の湯等を攪拌する為には専用の湯掻き棒や湯桶等で攪拌させる事になるが、専用の湯掻き棒を使用するには上下動作のみ攪拌効果が有り、横方向など水平方向に移動させた場合は攪拌効果が無い又、湯桶を使用した場合は水平方向に移動させた場合のみ攪拌効果があり上下動作では効果が薄い他、使用し難い。
風呂の湯等ゴミの除去にはゴミ取りネットを使用するが、ゴミ取りネットは水平方向に移動させ使用するが、掬うゴミにネット面を常に対面させ移動しなければ効果が無い物で、上下動作では使用し難い事とゴミ取り効果が無い事である。また、ネットに溜まったゴミをすくう度に処理しなくては、風呂の湯中にゴミが逆流してしまう事がある。
更に、専用の湯掻き棒等の攪拌器や風呂の湯等用ゴミ取りネットをそれぞれ別に用意する事は単機能な割に嵩張る物で、限られた浴室内で使用するには邪魔になり又、湯掻き棒の取っ手端にゴミ取りネットを装着した物も考案されているが、取っ手両端に大きな部品が有る為、それぞれの機能を使用時、持ちにくく使用し難い。又、固定式取っ手の湯桶を体が不自由な人特に、肩や肘の関節が不自由な場合に使用するのは難しい。
本発明は以上の欠点を除くためになされたものである。
【課題を解決するための手段】
【０００４】  上記課題を解決するために、攪拌棒やゴミ取りネットを有効に操作する手段として、上下動作や左右等水平方向に動作させても有効な事が挙げられ、あらゆる方向に動作させても有効にするためには、上下や進行方向に開口部を有する攪拌器内部に水流を変える整流板や弁を配設して、水流の出口側にゴミ取りフィルターを配設することである。すなわち、第１発明の濾過式攪拌器は、上下や進行方向に開口部を有する筒状の攪拌器本体の上部に操作棒を設け、攪拌器本体内部に整流板を配するための支点を設け、整流板が揺動自在に軸支され、水圧に拠る整流板の傾きに拠って整流された水流の出口側部に逆流防止弁を設け、着脱自在のフィルターを配して成る。
また、第２発明の濾過式攪拌器は、平面視二股状にした操作棒の先端に、筒及び箱状等の任意形状をした攪拌器本体及び湯桶等を揺動自在に軸支される支点を設け、攪拌器本体にゴミ逆流防止弁及び係着部を設けて、フィルター及び湯桶等を配する。
【発明の効果】
【０００５】  本発明の、濾過式攪拌器は上下、水平方向あらゆる方向に攪拌動作させても、風呂の湯等ゴミの除去と攪拌が同時に出来て、逆流防止弁によりゴミをすくう度に、ネットに溜まったゴミを捨てなくても良いので省力化になる又、攪拌する為だけの嵩張る湯掻き棒や、ゴミ取りだけの専用のゴミ取りネットをそれぞれ別に用意しなくても良いので、省スペースになり浴室等の限られた空間を有効利用できる。
又、風呂の湯桶は可動式取っ手にする事により、手首のスナップだけで動作させる事が出来て、肘の関節が全く動かせない場合や、肩が水平以上に上がらない等肩の関節が不自由な場合にも使用可能になり勿論、健常者が使用する場合も省力化になる。
【発明を実施するための最良の形態】
【０００６】  第１発明の濾過式攪拌器は、上下に開口部を有する攪拌器本体内部に整流板を配する物から、側面に開口部を有する攪拌器本体内部に整流板を配する物まで選択され、また、フィルターや逆流防止弁は、水流の出口側面に係着部と一体に形成されるものから、該係着部を脱着自在に接合する物まで選択される。
第２発明の濾過式攪拌器は、操作棒の先端に湯桶状の攪拌器本体を揺動自在に軸支される支点を設けた物から、操作棒の先端を平面視二股状にして、攪拌器本体を揺動自在に軸支される支点を設けた物まで選択され、ゴミ逆流防止弁やフィルターを攪拌器本体の入り口部又は、側面部等の係着部と一体に形成されるものから、該係着部を脱着自在に接合する物まで選択される。さらに、支点に係着部を設け、脱着自在にし攪拌器本体と湯桶等とを交換できる物まで選択される。
【実施例１】
【０００７】  図１に示すように、操作棒１を上部に設けた攪拌器本体２内部に、整流板４を上下に揺動自在に軸支できるように軸孔等の支点３を設け、攪拌器本体２側部にゴミ逆流防止弁４を設け、係着部７に着脱両用にしてゴミフィルター５を配設されて成る。
以上の発明を使用するときは、
操作棒１を持って攪拌器本体２を下に操作することで、水６等の水圧に拠り、攪拌器本体２内部の整流板１０の後部を押し上げると同時に、整流板１０の傾きに拠って整流された水６等が、出口側部の逆流防止弁４を押し広げ、水６等と共にゴミもフィルター５内部に入り、水６だけが排出される。また、逆に操作棒１を上に操作すると、整流板１０の後部を押し下げることで、以下は上記と同様に整流された水６等とゴミがフィルター５内部に入り、水６だけが排出される。さらに、操作棒１を横方向に操作することで、整流板１０は水平状態になり、以下は上記と同様に整流された水６等とゴミがフィルター５内部に入り、水６だけが排出され、水等の攪拌とゴミ取りが同時に出来る。
【実施例２】
【０００８】  図３に示すように、操作棒１の先端を平面視二股状にしたものに、攪拌器本体１２を揺動自在に軸支される為の支点３を設け、攪拌器本体１２の入り口部に逆流防止弁４を配設し、攪拌器本体１２の内部、側部、下部の何れかに係着部７を配設し、ゴミフィルター５を着脱両用に配設されて成る。
以上の発明を使用するときは、
操作棒１を下に操作することで水６等の水圧に拠り、攪拌器本体１２の口部が下方向に向くと同時に、水圧に拠り逆流防止弁４を押し広げ、水６等と共にゴミがフィルター５内部に入り、水６だけが排出される。逆に操作棒１を上に操作すると、水６の水圧に拠り攪拌器本体１２の口部が上方向に向き、以下は上記と同様水６とゴミがフィルターー５内部に入り、水６だけが排出され、水等の攪拌とゴミ取りが同時に出来る。
【実施例３】
【０００９】  図５に示すように、操作棒１の先端を平面視二股状にしたものに、バケツや湯桶２２を揺動自在に軸支される為の支点３を設け、着脱両用にして実施例２の攪拌器本体１２も共用可能にしたものも配設する。
以上の発明を使用するときは、
操作棒１を持って、お湯等の水面に傾けながら、バケツや湯桶２２を入れ、水やお湯８を汲み上げ、肩や肘の関節が不自由な場合でも、手首関節だけで使用可能になる。
本発明は、以上のような構成より成る、濾過式攪拌器である。
【図面の簡単な説明】
【０００１０】
【図１】  本発明の斜視図である。
【図２】  本発明の一部を断面で示した側面図である。
【図３】  本発明の実施例２を一部の断面で示した側面図である。
【図４】  本発明の実施例２を一部の断面で示した側面図である。
【図５】  本発明の実施例３の実施方法を、一部の断面で示した側面図である。
【符号の説明】
【０００１０】  １  操作棒            ２  攪拌器本体            ３  支点
４  ゴミ逆流防止弁    ５  ゴミフィルター        ６  水流
７  係着部            ８  水、お湯              ９  回転部
１０  整流板          １１  風呂桶              １２  攪拌器本体部
２２  自在湯桶本体
【図１】
2005118514.tif 000003
【図２】
2005118514.tif 000004
【図３】
2005118514.tif 000005
【図４】
2005118514.tif 000006
【図５】
2005118514.tif 000007